(57)【特許請求の範囲】
【請求項１】
建物に周設される仮設足場に防音パネルを取り付けた際に生じるスパン方向の隙間を覆うために前記仮設足場に取り付けられる防音補助パネルであって、防音性能を備え周縁部に枠部材を備える板材と、前記枠部材を前記防音パネルに重複するように前記仮設足場に取り付けるためのブラケットと、前記ブラケットを前記枠部材に連結させる連結手段とを有し、
前記ブラケットは、前記連結手段を回動中心として回動可能に構成されていることを特徴とする防音補助パネル。
【請求項２】
前記連結手段は、前記枠部材のスパン方向に沿って形成されたスライド溝にスライド可能に構成されていることを特徴とする請求項１に記載の防音補助パネル。
【請求項３】
前記枠部材に対する前記ブラケットの位置を固定するための係止手段を前記枠部材に備えていることを特徴とする請求項１または請求項２に記載の防音補助パネル。
【発明の詳細な説明】
【０００１】
【発明の属する技術分野】
本発明は、建築現場等の仮設足場に取り付けられる防音パネルであって、特に防音パネル間に生じた隙間を覆う防音補助パネルに関する。
【０００２】
【従来の技術】
建築現場等において、建築物の外周を囲むように組まれた仮設足場の外面には、建設現場の養生や、防音のために防音パネルが取り付けられることがある。
このような防音パネルは、養生、防音の他にも建設現場の採光、保温の役割も有すると共に、建築現場の景観を整える役割も有している。このため、防音パネルは仮設足場の外周を隙間無く覆うことが好ましいので、スパン側や妻側のそれぞれの寸法に合うように、数種類のサイズの異なる防音パネルが規格化されており、作業者は、仮設足場の寸法に合わせて、適宜、サイズの異なる防音パネルを組み合わせて使用している。
【０００３】
【発明が解決しようとする課題】
しかしながら、建築物等の形状は一様ではないために、サイズが数種類に規格化されている防音パネルでは、スパン方向に隣り合う二枚の防音パネルの間に生じた隙間が一枚の防音パネルのスパン長に満たない場合があった。このように隣り合う二枚の防音パネルの間に隙間が生じると、建築現場の防音や保温に支障をきたしたり、景観を損ねるので好ましくない。また、隙間を埋めるためにシート生地を用いることもあるが、景観の維持や採光の確保の観点からは好ましくなく、シート生地の取り付けに手間がかかるという問題も有している。
一方、防音パネルのサイズの種類を多くすることは、防音パネルの生産性や、建築現場における防音パネルの管理の観点からは好ましくない。
従って、本発明は、取り付け位置を調整することにより、仮設足場の外面における隙間の形成を防止できる防音補助パネルを提供することを目的とする。また、寸法の異なる隙間にも容易に対応可能な防音補助パネルを提供することを目的とする。
【０００４】
【課題を解決するための手段】
前記の課題を解決する本発明の請求項１に係る発明は、建物に周設される仮設足場に防音パネルを取り付けた際に生じるスパン方向の隙間を覆うために仮設足場に取り付けられる防音補助パネルであって、防音性能を備え周縁部に枠部材を備える板材と、枠部材を防音パネルに重複するように仮設足場に取り付けるためのブラケットと、ブラケットを枠部材に連結させる連結手段とを有し、前記ブラケットは、前記連結手段を回動中心として回動可能に構成されている防音補助パネルとした。
【０００５】
このような構成を有する防音補助パネルは、ブラケットを介して枠部材が仮設足場に固定されるので、その分だけ、仮設足場と枠部材とを離間させることができる。これを利用して、防音補助パネルを他の防音パネルと重複するように取り付けることで、仮設足場において防音パネル一枚分に満たないスパン長を有する隙間を確実に覆うことができる。なお、この防音補助パネルは、防音の他に、保温や、景観の維持といった役割を担わせることが可能である。また、防音補助パネルは、枠部材に対するブラケットの角度を変化させることで、スパン方向のブラケットと仮設足場の取り付け位置とを微調整させたり、前方向（防音補助パネルが重複する方向）の防音補助パネルの突出量を微調整させたりできる。また、回動させることによりブラケットを枠部材内に収容させると、防音補助パネルの搬送や保管が容易になる。
【０００８】
さらに、本発明の請求項２に係る発明は、請求項１に記載の防音補助パネルにおいて、連結手段は、枠部材のスパン方向に沿って形成されたスライド溝にスライド可能に構成されている構成とした。
【０００９】
このような構成を有する防音補助パネルは、ブラケットをスパン方向に沿ってスライドさせることで、スパン方向のブラケットと仮設足場の取り付け位置とを調整できる。これにより、防音パネルを取り付けた際に生じるスパン方向の隙間の大きさが異なる場合であっても、一枚の防音補助パネルで対応することが可能になる。
【００１０】
そして、本発明の請求項３に係る発明は、請求項１または請求項２に記載の防音補助パネルにおいて、枠部材に対するブラケットの位置を固定するための係止手段を枠部材に備えている構成とした。
【００１１】
このような構成を有する防音補助パネルは、係止手段がブラケットを係止することで、ブラケットのスライドを抑制させたり、ブラケットを特定の回動角度において保持させたりして、ブラケットの所定位置に固定することができる。これにより、仮設足場の取り付けスパンに合わせて調整したブラケットの位置ずれ防止や、枠部材に収容したブラケットを枠部材内に固定させて搬送時や、保管時の取り扱いを容易にすることができる。
【００１２】
【発明の実施の形態】
本発明の実施形態について図面を参照して詳細に説明する。
図１は本実施形態における防音補助パネルの斜視図であり、図２は防音補助パネルの一部拡大斜視図、図３は防音補助パネルの一部拡大断面図である。さらに、図４及び図５は防音補助パネルの仮設足場への組み付けを説明する説明図である。
【００１３】
図４に示すように、防音補助パネル１は、建築現場の仮設足場において、パネル一枚分に満たない隙間Ｓ１を覆うように建枠２に固定されたクランプ３に取り付けられるものであり、枠部材４と、枠部材４に固定され、防音特性を備える板材５とを有し、枠部材４からはクランプ３に連結させるためのブラケット６が、上下にそれぞれ二本ずつ配設されている。このブラケット６は、防音補助パネル１のスパン方向にスライド可能であり、かつ、運搬時等には、枠部材４に収容可能な構成を有しているが、その詳細は後に説明する。
【００１４】
図１に示すように、防音補助パネル１を構成する枠部材４は、スパン方向に平行な上枠部材４１及び下枠部材４２と、上枠部材４１と下枠部材４２のそれぞれの両端を連結する二本の側枠部材４３とから構成されている。
【００１５】
ここで、下枠部材４２について図２を用いて説明する。なお、上枠部材４１は、上下が反転するのみで同一の構成を有しているので、その説明は省略する。下枠部材４２は、板材５を挟持する断面コ字状の挟持部４４と、挟持部４４から仮設足場に向かって延設された延設部４５とを有している。また、下枠部材４２には、ゴムパッキン７ａを嵌合するための嵌合溝４６が挟持部４４の下面から延設部４５にかけて形成されている。
【００１６】
挟持部４４は、板材５の前面５ａに直接に当接する前面部４４ａと、内部枠８を介して板材５の後面５ｂを支える後面部４４ｂとを有し、前面部４４ａと後面部４４ｂとが連結部４４ｃで連結された構成を有している。このような構成を有する挟持部４４は、前面部４４ａと後面部４４ｂとに形成された貫通穴（不図示）に挿通させた固定ボルトにより板材５を固定している。
【００１７】
延設部４５は、そのスパン方向に沿ってスライド溝４５ａが形成されている。このスライド溝４５ａにはボルト９が、その頭部９ａをスライド溝４５ａのつばに掛合させるようにして挿入されている。従って、ボルト９は、スライド溝４５ａから抜け落ちることはないが、スライド溝４５ａに沿って摺動することが可能である。なお、スライド溝４５ａの底部に穿設されている孔１０は、水抜きのために用いられている。
【００１８】
また、側枠部材４３は、板材５を挟持するための断面コ字状の挟持部４７と、挟持部４７から仮設足場に向かって延設される延設部４８とを有している。また、側枠部材４３は、化粧枠１１を嵌合させるための嵌合溝４９が挟持部４７の連結部４７ｃから延設部４８にかけて形成されている。側枠部材４３の挟持部４７は、板材５の前面５ａに直接に当接する前面部４７ａと、内部枠８を介して板材５の後面５ｂを支える後面部４７ｂとを有し、前面部４７ａと後面部４７ｂとが連結部４７ｃにより連結された構成を有している。
【００１９】
化粧枠１１は、断面が三角形状をなしており、側面に突部１１ａと不図示のネジ穴とを有している。化粧枠１１は、突部１１ａを嵌合溝４９に嵌合させると共に、ネジ穴に螺入したネジ１２で延設部４８とネジ留めすることで側枠部材４３に固定されている。また、化粧枠１１の後面１１ｂには、嵌合溝１１ｃを有し、ゴムパッキン７ｂが嵌合されている。
【００２０】
このような枠部材４に固定される方形の板材５は、アクリル板等の樹脂板である。この板材５は、採光のために半透明であることが望ましいが、光を透過しなくても良い。また、板材５は、金属板を用いても良いし、例えばガラスクロスをポリカーボネイト板とパンチングメタルで挟持させた複合パネルとしたり、ＦＲＰ（Fiber Reinforced Plastic）から構成しても良い。また、板材５を平板とする替わりに、波板としたり、凸部を設けたり、エキスパンドメタルを用いたりすることも可能である。なお、本実施形態では枠部材４と板材５とは別体で構成されているが、枠部材４と板材５とを一体に成形した防音補助パネルとすることも可能である。
【００２１】
次に、下枠部材４２に設けられているブラケット６について図３を用いて説明する。なお、図１に示す上枠部材４１から延設するように設けられているブラケット６や、下枠部材４２の他のブラケット６も同様の構成を有しているので、その説明は省略する。
図３に示すように、ブラケット６は、細長形状を有し、一端６ａにクランプ３の垂直棒３ａが挿入される取付手段である長穴６１が形成され、他端６ｂが下枠部材４２のスライド溝４５ａに挿入されているボルト９に固定されている。前記したようにボルト９は、スライド溝４５ａに沿ってスライドすることが可能であるので、ブラケット６も図３の矢印に示すように、下枠部材４２のスライド溝４５ａに沿ってスライドすることが可能である。また、ボルト９は、先端部分のみにネジ溝が切ってあり、ブラケット６はネジ溝の無い部分に挿入されている。従って、ブラケット６は、下枠部材４２とナットに挟持されてはいるが、ボルト９の芯を中心として回動することが可能である。なお、ボルト９が、ブラケット６を枠部材４に連結させる連結手段に相当する。
【００２２】
ここで、ブラケット６の他端６ｂは、面取り加工が施された面取部６２と、面取り加工されていない非加工部６３とを有している。
面取部６２は、図３においては、ブラケット６の長手方向の中心から、下枠部材４２の端部側（側枠部材４３側）にかけて、ボルト９を中心とする円形状にカットされており、ブラケット６の他端６ｂが挟持部４４の後面部４４ｂに当接することで回動に支障をきたすことを防止している。
非加工部６３は、ブラケット６の回動量を規制するために設けられており、非加工部６３が下枠部材４２の挟持部４４の後面部４４ｂに当接することでブラケット６の回動が止められる。ここにおいて、非加工部６３と後面部４４ｂは、ブラケット６の回動角度を固定するための係止手段として機能している。なお、このときのブラケット６は、下枠部材４２に対して垂直に引き出されている。
【００２３】
また、このようなブラケット６の幅は、下枠部材４２の延設部４５の幅と同程度であることが望ましい。これは、ブラケット６を下枠部材４２と平行になるように回動させると、ブラケット６が下枠部材４２に収容されることになるので、パネル１の搬送時や、保管時の積み上げや立てかけ等の取り扱いが容易になるためである。また、搬送時のブラケット６の回動を防止するために、下枠部材４２には、収容したブラケット６を固定するための係止手段であるマグネット１３を備えている。このマグネット１３は、スライド溝４５ａに形成した切欠部４５ｂにボルト及びホルダにより固定されている。
【００２４】
さらに、ブラケット６は、前記のように延設部４５のスライド溝４５ａに沿ってスライド可能であるが、このようなブラケット６のスライドは、マグネット１３のホルダと、下枠部材３２の中央付近に設けられた図示しないストッパにより制限されている。ストッパは一つのスライド溝４８ａにスライドする二つのブラケット６が衝突することを防止し、二本のブラケット６をそれぞれストッパに当接させた状態が、最もブラケット６の長穴６１の間隔が狭い状態であり、最小の取付間隔となる。
【００２５】
このような防音補助パネル１の取り付け手順について図４を用いて説明する。なお、このようなパネル１が適用されるのは、前記のようなブラケット６を有しない防音パネル１０１をクランプ３に取り付けた際に、隣り合う防音パネル１０１の間にパネル一枚分に満たない隙間Ｓ１が生じた場合である。この防音パネル１０１は、その枠体１０２に形成された穴１０３に垂直棒３ａを直接、挿通させることにより仮設足場に取り付けられており、防音等のための板部材１０５、及び、ゴムパッキン（不図示）を有している。
【００２６】
まず、防音補助パネル１は、上枠部材４１、下枠部材４２に収容されているマグネット１３に固定させた状態で保管されているブラケット６を、他端６ｂの非加工部６３が挟持部４４の後面部４４ｂに当接するまで、すなわち、上枠部材４１、下枠部材４２のそれぞれに対して垂直になるように、回動させて枠部材４から引き出させる。
【００２７】
次に、ブラケット６を、下枠部材４２のスライド溝４５ａ、及び、上枠部材４１のスライド溝（不図示）に沿ってそれぞれスライドさせて、仮設足場に取り付けられたクランプ３の垂直棒３ａのピッチとブラケット６の長穴６１のピッチとが等しくなるように調整する。なお、引き出したブラケット６の他端６ｂ側を挟持部４４の後面部４４ｂに当接させる前にピッチの調整を行っても良い。
【００２８】
ピッチの調整が終ったら、ブラケット６の長穴６１に下側からクランプ３の垂直棒３ａを挿通させる。これにより、上下左右の四つのブラケット６により防音補助パネル１が仮設足場に取り付けられる。このとき、防音補助パネル１は、ブラケット６のぶんだけ、前方（仮設足場の外面方向）に突出するようにして取り付けられるので、防音補助パネル１の枠部材４及び化粧枠１１が、すでに仮設足場に取り付けられている防音パネル１０１と重なる（図３参照）。これにより側枠部材４３に取り付けられている化粧枠１１の後面１１ｂに嵌合されているゴムパッキン７ｂは、前後に重複する防音パネル１０１の枠部材及び板材に当接する。
【００２９】
また、下枠部材４２の下面の嵌合溝４６に嵌合しているゴムパッキン７ａは、防音補助パネル１の下側に位置する図示しない他の防音補助パネル１の上枠部材４１のゴムパッキン７ａに当接する。
さらに、この防音補助パネル１の上にさらに別の防音補助パネル１（不図示）を取り付けると、防音補助パネル１のゴムパッキン７ａどうしが当接する。
【００３０】
このようにしてゴムパッキン７ａ，７ｂを上下の防音補助パネル１、及び、スパン方向において前後に重複する防音パネル１０１に当接させることにより防音や、保温が確保される。
また、防音補助パネル１を前後方向に重複するように取り付けることで、図５に示すような仮設足場１１０の建枠２に防音パネル１０１を取り付けた際に、スパン方向の大きさの異なる隙間Ｓ１と隙間Ｓ２が生じた場合であっても、複数種類の大きさのパネルを用意しなくても、一種類のパネル１で隙間Ｓ１、隙間Ｓ２を確実に覆うことができる。
さらに、ブラケット６を枠部材４に収容できる構成としたので、搬送時や保管時にブラケット６が他のパネルを破損させることを防止できる。
【００３１】
なお、本発明は前記の実施形態に限定されずに広く応用することができる。
例えば、防音補助パネル１を仮設足場に取り付ける際における、ブラケット６の上枠部材４１、下枠部材４２に対する角度は、垂直に限定されずに、任意の角度にすることができる。上枠部材４１、下枠部材４２に対するブラケット６の角度を調整することで、取り付けスパン（図４のクランプ３の間隔）の微調整や、防音補助パネル１の前方への突出量を微調整することができる。
また、防音補助パネル１は化粧枠１１を有しない構成とすることもできる。このような防音補助パネル１の構成は、例えば、建築物が看板等の突出部を有している場合に、防音補助パネル１の側枠部材４３を突出部に当接させる場合に有効である。防音、保温の観点から、このときの側枠部材４３には嵌合溝４９にゴムパッキンを嵌合させることが望ましい。
【００３２】
さらに、搬送時等のブラケット６を固定する係止手段は、マグネット１３に限定されず、上枠部材４１、下枠部材４２に連結されたラッチや、フック、カバーとすることもできる。枠部材４に対するブラケット６のスライド方位の位置を固定するための係止手段としては、枠部材４に固定されているマグネット１３のホルダや、下枠部材３２の中央付近に設けられた図示しないストッパがあげられる。また、このような係止手段は、図２に示すスライド溝４５ａに挿入される突起を備え、枠部材４に着脱可能な係止部材であっても良い。係止部材の突起がブラケット６のスライドを抑制するので、ブラケット６をスパン方向の所定位置に固定させることができる。係止部材の枠部材４への固定は、係止部材と枠部材４の嵌合や、ボルトにより行われることが望ましい。
そして、作業者がブラケット６の回動方向を間違えないように、回動方向に向けた矢印や切欠き等をブラケット６に形成しても良い。
また、ブラケット６が備える取付手段は、長穴６１に限定されずに、フックや、ネジ穴等の公知の手段とすることができる。
さらに、連結手段としては、ブラケット６を回動不能に固定するボルトや、公知の取付具を用いることができる。
【００３３】
【発明の効果】
本発明の請求項１に係る発明によれば、防音補助パネルは、ブラケットを介して他の防音パネルと重複するように取り付けることで、仮設足場にパネル一枚分のスパン長に満たない隙間ができた場合であっても、これを覆うことができ、景観の維持や保温の確保等を行うことができる。また、防音補助パネルは、枠部材に対するブラケットの角度を変化させることができるので、取り付け位置の微調整ができる。
さらに、本発明の請求項２に係る発明によれば、ブラケットをスライドさせることができるので、スパン方向の長さが異なる隙間であっても確実に覆うことができる。
そして、本発明の請求項３に係る発明によれば、枠部材に対してブラケットを固定させることができるので、防音補助パネルの搬送、保管時の取り扱いが容易になり、ブラケットによる他のパネルの破損も防止できる。また、取り付け時における位置調整を容易にすることができる。
【図面の簡単な説明】
【図１】本発明の実施形態における防音補助パネルの斜視図である。
【図２】防音補助パネルの一部拡大斜視図である。
【図３】防音補助パネルの一部拡大断面図である。
【図４】防音補助パネルの仮設足場への組み付けを説明する説明図である。
【図５】防音補助パネルの仮設足場への組み付けを説明する説明図である。
【符号の説明】
１    防音補助パネル
３    クランプ
４    枠部材
５    板材
６    クランプ
９    ボルト  （連結手段）
１３  マグネット
４１  上枠部材
４２  下枠部材
４３  側枠部材
４５ａ  スライド溝
６１  長穴
６２  面取部
６３  非加工部
【図１】
0003917840.tif 000002
【図２】
0003917840.tif 000003
【図３】
0003917840.tif 000004
【図４】
0003917840.tif 000005
【図５】
0003917840.tif 000006